(57)【要約】【課題】  建屋屋上等の空間に模造植草ネット及び水の噴霧器を組み合わせて自然緑化の蒸散作用と同様に温度降下を気化作用によって経済的に行うヒートアイランド防止対策。【解決手段】  魚網等に模造草を配した植草ネットを軽量パイプ等で構成された格子状フレームに被覆しフレームと床の空間に噴霧水ノズルを配し、気温が一定以上に達したら噴霧水ポンプを起動させ植草ネットに満遍なく水を噴霧してヒートアイランド現象を防止する方法。【選択図】図１
0003140356.tif 000002
【実用新案登録請求の範囲】
【請求項１】
ヒートアイランド現象の防止対策として屋上に自然草木を植え蒸散作用によって気温を下げる方法と同様に、模造植草ネットに水を噴霧して気化作用による温度降下でヒートアイランド現象を防止する方法。
【請求項２】
植育管理に必要な散水及び肥料を必要としない模造植草ネットを被覆支持する格子状のパイプ枠及び枠をボックス状に組み立て延長方向に伸張した多段フレームの下方に設置した噴霧ノズルから植草ネットに水を噴霧して気化作用によりヒートアイランド現象を防止する方法。
【請求項３】
マンション及び戸建住宅のベランダ等の空間を利用して請求項２に記載した構成により模造植草ネットに水を噴霧し気化作用により屋内の温度を下げ冷房の負荷を削減してヒートアイランド現象を防止する方法。
【請求項４】
巻き上げ、巻きおろし機構を設けた模造植草ネットを建物の側壁に配し、植草ネットと壁面の間隙に水を噴霧し建屋内の温度を下げヒートアイランド現象を防止する方法。
【考案の詳細な説明】
【技術分野】
【０００１】  屋上等の緑化によるヒートアイランド現象を防止する対策は直接温暖化対策に繋がる省エネ手段であることは周知の事実である、最近は、屋上緑化も様々な手法が取り入れられ荷重負担の少ない軽量用土の開発などで屋上緑化も多様化してきている。しかしながら未だに古いビル及びマンションなどでは植育管理に手間が掛かり過ぎたり設備化にも多額の費用が掛かるなどで実施に踏み切れていないケースが多々有る。【０００２】  本考案は，未だ実施されていない多くの屋上等の緑化に対して軽量用土も散水や施肥の必要がない無管理状態に等しい極めて軽量で簡素化した経済的な装置でヒートアイランド現象を防止する方法を提供するものである。
【技術の背景】
【０００３】  近年、温暖化による地球規模の悪影響が深刻に語られるようになっている、温暖化の要因としては都会のヒートアイランド現象が挙げられる、本考案はヒートアイランド現象を自然緑化による蒸散作用で抑制する方法と同様に、水の気化作用によって温度降下を図るため模造植草ネット及び噴霧水によって経済的に行うものである。
【０００４】  都市部では道路の全てが舗装された状態にあり加えて中高層ビルやマンション等のコンクリート構築物が太陽熱を吸収して温度が下がる筈の夜半になって熱を吐き出すなど以前に増して冷房の使用時間を延長させ、そのため冷房器の排気熱によって更に温度上昇を促すなど悪循環を繰り返しヒートアイランド現象を増長させている。こうした課題を解決するために、前記、植草ネットと水の噴霧器による気化作用による温度降下を屋上に限らずあらゆる空間を利用して経済的に行おうとするものである。
【０００５】  本考案は、前記、建物屋上に限らずマンションのベランダ或いは壁面に対しても活用することができるなどで気化面積が飛躍的に増大することを特徴とし、しかも、噴霧水は風呂の排水或いは雨水等を貯水して利用すれば節水となる、また、ベランダ程度の面積であれば植草ネット及び植草ネット支持フレームの組み立ては専門家に頼む必要もなくパッケージで部品を購入すれば素人でも簡単に組み立てられる構造となる。
【考案の開示】
【考案が解決しようとする課題】
【０００６】  最近、屋上等緑化は庭園式や菜園など様々な趣向を凝らしたものが見受けられている、その反面、造成費も嵩み植生管理費も膨大なものとなってしまう傾向にある。、本考案はヒートアイランド現象を防止することを第一義とした簡素化設備とし設備費用を抑え管理費も殆ど必要せず、しかも自然緑化の蒸散作用に劣らない降温効果を図ることができる。
【考案を解決するための手段】
【０００７】  考案を解決するための手段としては、模造植草ネット及び噴霧水による気化作用を効率的に行うために植草ネットの葉の形状は針状葉を束ねた形態とする、例えば田植えの苗のように針状葉を一握りに束ねた形状として網状の交点に結びつける、針状葉は噴霧してできる水滴を束ねた元に滞留させることで気化時間を延ばすことにある、植草ネットを支えるフレームはパイプを格子状とした平面フレーム脚を設けた構造及び平面フレームを方形に組み合わせボックス状にし長手方向に延長した多段構造とし植草ネットを被覆する、噴霧ノズルの方向は植草ネットに満遍なく霧が掛かるようにする。
【０００８】  前記、植草ネットに噴霧された霧の一部は水滴となって葉の根元に滞留することで気化作用時間を持続させ周囲の温度降下を長時間持たせることで地域のヒートアイランド現象を防止する、噴霧水は日中の必要な時間帯だけとし温度センサーの感知により自動的にポンプの起停止を行う操作システムを組むことで殆ど管理の必要がないばかりか節水も図れる。
【０００９】  模造植草ネットで被覆されるフレームは強風に耐えられる構造の不錆金属パイプ又はプラスチックパイプ及びパイプ継ぎ手により現場で組み立てることを可能とした構造とする、また、フレームは床面に接着剤で固定した基礎ブロックの脚用穴に挿入して固定する方法とする、また、植草ネットと床との間隔は噴霧水がネットの広範囲に均等に噴霧するだけの距離をとる。
【考案の効果】
【００１０】  道路に打ち水をするだけで周りの温度が２〜３度近くも下がる体験が示すように、例え僅かな面積の空間でも散水すれば気温は下がるのであるから、ビルやマンション等の屋上以外にも僅かな空間があれば植草ネットを設け緑の少ない都会の蒸散作用を補う方法としてヒートアイランド現象防止の模造植草ネットを活用する。
【００１１】  自然樹草の蒸散作用は葉の表面積に比例し、模造植草ネットの気化作用は噴霧水の量に比例する、しかしながら模造植草ネットの場合には空中に向かって噴霧するだけでは気化作用の持続性が少ないことから、前記、理由により植草ネットを必要とする、また、単位面積当たりの気化作用を高めるためには植草ネットの面積が必要となりそのためには植草ネットを複段数とする、特に、狭いスペースを有効に使う場合には適切な方法となる。
【００１２】  日差の強い建屋側面に位置するベランダに対しては熱気を抑制するために植草ネットは有効である、特に、酷暑の夏場には霧を噴霧し温度降下を図ることで冷房の負荷を削減し排気熱を抑制することがヒートアイランド現象を抑制することになる、また、ベランダの場合には植草ネットを観賞目的に用いる場合には針状葉だけでなく多様な葉の組み合わせ及び色彩にも工夫することで楽しむことができる。
【考案を実施するための最良の形態】
【００１３】  植草ネットは強風の抵抗を少なくするため空隙率の大きいネットに植草した形状とし当然フレームも軽量で強固な構造とするためパイプ構造とする、模造植草は噴霧水を保有し気化作用時間を保つために針状葉を束ねた形態のものとすることは前述の通りである、また、植草ネットは夏季以外は使用しないためフレームから取り外してコンパクトに収納できるような柔軟性のある材質とする、同様にフレームもパイプ継ぎ手を使用して簡単に解体収納する構成とするのが理想である。
【実施例】
【００１４】  図はビル及びマンションの屋上に模造植草ネットを設置した模式図である、図において屋上床面１に格子状のフレーム２の脚３を支持する挿入孔を設けた基礎ブロック４を接着剤で固定し、フレームを組み立て植草ネット５をフレーム２に被覆する、格子状のフレーム２は平面フレーム６と平面フレーム２を方形に組み立てたボックス型フレーム７として延長し、両者を適当に組み合わせてバランスよく配置することで自然庭園に劣らない景観を作ることもできる。フレーム２と床面１の間隙にノズルを上向きにした噴霧器８を複数個配置し下方から植草ネット４に満遍なく水を噴霧する。噴霧器８は所定気温をセンサーで感知し一定時間噴霧したら停止させるタイマーを設置した自動操作システムとなる。
【産業上の利用可能性】
【００１５】  本考案は、都会のヒートアイランド現象を防止するためのものであるが結果的には温暖化防止対策としての省エネ構想である、既に、屋上緑化には多くのメーカーが独特の手法により実績を積んでいるが、多くの場合、庭園及び菜園等に重点を置く傾向があり、それだけに造成作業が複雑であり経費も嵩み必要以上の管理費が伴う、それらの課題を解決するために本考案はヒートアイランド現象の防止を第一義として軽量構造で安価な設備とした。但し、観賞用として植草ネットを利用するならば植草の配置及び色彩などに趣向を凝らせば年間を通じて十分に楽しめる。【００１６】、
海風を都内に吹き込むことで都心部のヒートアイランド現象を抑制する構想が有ると聞いている、この風道に当たるビル及びマンション等の建物から発する輻射熱を減少するために、風の道に当たる低中層建屋の屋上に模造植草園を設けることで自然樹林に匹敵する蒸散作用の役目を果たすことができ爽やかな海風を内陸部に送り続けることができる。また、前記、マンションのベランダを利用したり壁面など利用することも自在であることからこれらを含めることで更に効果を上げることができる。
【図面の簡単な説明】
【００１７】
【図１】  屋上に模造植草ネットを配置した模式図。
【図２】  模造植草ネットと被覆する支持フレーム及び噴霧器の作動関係側面拡大模式図。
【図３】  ベランダに模造植草ネットをを採用した側面模式図である。
【符号の説明】
【００１８】１．屋上床面
２．フレーム
３．脚
４．基礎ブロック
５．植草ネット
６．平面フレーム
７．ボックス型フレーム
８．噴霧器
９．ベランダ
【図１】
0003140356.tif 000003
【図２】
0003140356.tif 000004
【図３】
0003140356.tif 000005
【手続補正書】
【提出日】平成19年12月18日(2007.12.18)
【手続補正１】
【補正対象書類名】明細書
【補正対象項目名】全文
【補正方法】変更
【補正の内容】
【考案の詳細な説明】
【技術分野】
【０００１】  温暖化防止対策の一環として屋上緑化が奨励されている、緑化技術も植生土の軽量化などが開発されて普及に拍車が掛かっている、しかしながら植育管理及び工事費など経費が嵩むなどの課題もあり未だ実施に踏み切れていないケースも多々有る。本考案は、未だ実施されていない多くの屋上及び余剰空間を対象に客土を必要とせず、僅少の管理費及び工事費等を掛けるだけで実現可能なヒートアイランド防止用の模造植草ネットを提供するものである。
【技術の背景】
【０００２】  近年、温暖化による地球環境の破壊が急速に進んでいる現実に対して、温暖化の一要因に挙げられているヒートアイランド現象の防止対策も緊急のテーマーとして取り上げられている、本考案はヒートアイランド現象を防止する自然緑化の蒸散作用に対して同様の効果が期待される水の気化作用を効率よく行うことで外気温度の降下を図り、室内クーラーの負荷を抑制しヒートアイランド現象防止の解決策としようとするものである、前記、ヒートアイランド現象の防止対策は民間の自己責任で行うものであるから当然費用対効果が重要な要因となる、都会に於いては自然緑化の育成面積にも限界があり管理及び工事費負担に於いても、前期、費用対効果の課題が残るとすればその課題を解決することが第一義の対策となる、そこで自然緑化の蒸散効果の補足手段として水の気化作用に期待した。
【０００３】  都市部の全ては構造体となりビルやマンション等立体構造物は太陽の吸収熱を夜半に放出するためクーラーの使用時間が伸び、そのための排熱が蓄積され更に外気温を高める悪循環を繰り返すことがヒートアイランド現象を増長させる大きな要因となっている、こうした状況を阻止するために夏季の高温時だけでも模造植草ネットの設置を提案するものである。
【考案の開示】
【考案が解決しようとする課題】
【０００４】  前記、温暖化防止対策の一環としてのヒートアイランド現象の防止対策として屋上緑化に焦点が絞られているが屋上緑化には限界があり、屋上緑化を補足するために本考案の模造植草ネットを活用するものであって模造植草ネットは使用期間が夏場の限られた時間帯だけであり、外気温度の上昇を感知するセンサーによって散水ポンプを起停止するシステムを装置に組み込むことで殆ど管理費も不要で節水の効果も絶大である。
【考案を解決するための手段】
【０００５】  考案を解決するための手段として、模造植草ネットに噴霧した水の気化作用を限定した範囲で効率的に持続させるためには、模造草に水を保持する機能を持たせることであり、そのためには模造草を針状葉を束ねた形状とし噴霧して葉に発生した水滴を集めて貯留する窪みを葉束の根元に設けた形態とする、また、貯留した水が植草ネットを水平以外の垂直或いは傾斜に設置しても零れないように葉束を垂直を保たせるために、葉束の下端部に突起片を設け穴を穿ちネット紐及び錘を掛け合わせることで可能とした。
【０００６】  模造植草用ネットは、植草しても強風の抵抗を少なくする網目サイズとし、プラスチック等の軽量短尺パイプによりフレームを現場で組み立てることを可能とすることで家庭でも容易に活用できる、フレームは空間を最大限利用するため多様な形態を構成する方法として変形継ぎ手により自在に組み立てられる、その他、壁面に取り付けて垂直又は傾斜に取り付けて使用することは緑化面積の少ない都会ではヒートアイランド現象を抑制する有効な手段となる。
【０００７】  前記、植草ネットは夏季の気温上昇時のみに活用して効果を挙げる装置であるため、外気温度を感知して噴射ポンプの起停止する温度センサーを備えることで殆ど管理の必要がなく節水型の装置となる、また、噴霧ノズルはネットに万遍なく当たる位置に設置するため、植草ネットの面積が大きければ給水パイプに適当にノズルを複数装着し給水ポンプとは距離を取る方法となる、噴射水量は水滴粒にもよるが現場で適切に調整する必要がある。
【考案の効果】
【０００８】  散水の効果は道路に打ち水をするだけで周囲の温度を２〜３度低下させる気化作用は実証されている、そこで散水の効果を高めるために噴霧水を限定した範囲に留めてロスを最小限に抑えることでより噴霧水の効果を挙げ節水となる、更に、噴霧水を集めて滞留する窪みを葉束の根元に設けた形状にすることで気化作用を持続することになる、模造植草ネットは、前記、ビルやマンション等の屋上に限らず僅かな空間を利用する方法としてネットの設置を水平に限らず垂直面及び傾斜面に設置しても、本考案の植草ネットは葉元に設けて窪みから水を零すことの無いような形態を維持することができる、こうしたことから模造植草ネットはオフィス及び家庭で容易に活用できることからカーボン・オフ・セットに有効な装置と言える。
【０００９】  模造植草ネットは噴霧水を効率よく利用するためのもである、具体的には、噴霧水により葉に生じた水滴を葉元に受けて貯留しことで気化作用を持続させる手段とした、また、模造葉はネットから取り外して洗浄することができ、色彩を施した草花を用意し交換することで夏季に限らず年間を通じて観賞することもできる。
【考案を実施するための最良の形態】
【００１０】  限定した範囲に水を噴射して気化作用の効果を挙げるには噴射水の粒子の大きさと噴霧時間を適切に調整する方法によって決められる、粒子が小さいほど気化作用効果は急速に高まるが風に流されるロスも見逃せない、本考案はロスを少なくするためのもので、外気温度の降下を限定した範囲に於いて行うものであるから、前記、葉に発生した水滴を集めて滞留させ気化作用を持続する形態としたのである。【００１１】  前記、模造植草ネットは平面だけの使用に限らず垂直及び傾斜の状態で使用しても葉束の保水機能を持たせることができ、そのため僅かな空間も利用して設置することができるためオフィス及び家庭での使用が増せばエアコンの過剰使用は抑制し、結果的にヒートアイランド現象を高める排気蓄熱の悪循環を阻止することができる。
【実施例】
【００１２】  図１において、模造草１下端部に設けた突起片２にネット紐３及び錘４を掛け合わせる穴５を設けて構成した模造植生ネット６の斜視図でる。図２は植生草１の拡大説明図である。図３は集合住宅のベランダ等の空間７にパイプ構造のフレーム８に模造植草ネット６を被覆し噴霧ノズル９から水を噴霧する側面模式図である。
【産業上の利用可能性】
【００１３】  本考案は、水を気化して外気温度を低下させヒートアイランド現象を防止する装置であり、ビル又はマンションの屋上に限らずあらゆる空間を利用して使用することができる、特に、壁面及び傾斜面に沿って設置できるため僅かな空間も利用できる利点がある。その意味に於いて自然緑化には真似ができない方法でヒートアイランド現象の防止装置となる、また、夏場の気温上昇時に使用する装置であるが夏季以外にも模造草の形状及び色彩に変化を与えた模造草花を用意し交換することで四季を通じて観賞用として楽しむことができる。【００１４】  海風を都内に吹き込み内陸部のヒートアイランド現象を抑制する構想に於いて、風道に当たるビル及びマンション等で緑化が難しいとされる建物を対象に屋上に限定せず壁面等を利用することが外気温度降下の効果を緑化以上にもたらすことができることは、即、普及が進めば自然緑化を十分に補えるヒートアイランド防止対策用装置となる。
【図面の簡単な説明】
【００１５】
【図１】  ネットに模造草を装着した斜視図である。
【図２】  模造植草ネットの一部拡大模式図である。
【図３】  ベランダ等空間に模造植草ネットを配した側面模式図である。
【符号の説明】
【００１６】  １．模造草
２．突起片
３．ネット紐
４．錘
５．掛け穴
６．植草ネット
７．空間部
８．フレーム
９．噴霧ノズル
１０．ポンプ
【手続補正２】
【補正対象書類名】実用新案登録請求の範囲
【補正対象項目名】全文
【補正方法】変更
【補正の内容】
【実用新案登録請求の範囲】
【請求項１】
ネットに複数取り付けた模造草の形状を針状葉を束ねた形態によって噴霧水により葉に発生した水滴を葉元の窪みに保持し気化作用を持続させる構成の模造植草ネット。
【請求項２】
模造植草葉は軟質合成樹脂製とし下端部に設けた突起片に穴を穿ちネット及び錘を掛け合わせることで、ネット上の葉束はネットの設置角度を変えても常に垂直を保ち葉束の根元に貯留した水を零すことなく気化作用を持続する模造植草ネット。
【請求項３】
軽量パイプを多様に組み立てた骨格構造フレームに、請求項２記載の模造植草ネットを被覆し水を満遍なく噴霧し気化作用を図る方法に於いて、外気温度を感知するセンサーにより噴霧用ポンプの起停止をする機能を備えた節水型ヒートアイランド現象防止用模造植草ネット。、
【手続補正３】
【補正対象書類名】図面
【補正対象項目名】全図
【補正方法】変更
【補正の内容】
【図１】
0003140356.tif 000006
【図２】
0003140356.tif 000007
【図３】
0003140356.tif 000008